(57)【特許請求の範囲】
【請求項１】
マンホール蓋が被着される蓋受枠内に支持アームを着脱可能に横架し、該支持アームに立設した螺子杆を、マンホール蓋に形成した操作用凹陥部の挿通孔に下方から挿通するとともに、該操作用凹陥部内で螺子杆の突出端側に緊締ナットを螺着して、その緊締作用を介してマンホール蓋を蓋受枠に圧着させて固定し、さらに前記挿通孔と螺子杆間に生じる隙間を塞ぐ止水パッキンを備えてなるマンホール蓋の固定装置において、
前記支持アームに、螺子杆を囲繞するようにして水受け凹部を形成したことを特徴とするマンホール蓋の固定装置における水漏れ防止装置。
【発明の詳細な説明】
【０００１】
【発明の属する技術分野】
本発明は、密閉型のマンホール蓋を蓋受枠に固定するためのマンホール蓋の固定装置にあって、マンホール蓋の開放時における固定装置からの水漏れを防止し得るようにした固定装置の水漏れ防止装置に関する。
【０００２】
【従来の技術】
水槽，油槽等の点検口や、共同溝，電気配線ボックス点検口等の防水性が要求されるマンホールの開口部を遮蔽する密閉型のマンホール蓋が知られている。
【０００３】
図５，図６に、かかる密閉型のマンホール蓋ａを蓋受枠ｂに固定するための従来の固定装置を示す。これは、マンホールｃの開口部に配設された蓋受枠ｂ内に、支持アームｄを着脱可能に横架するとともに、蓋受枠ｂの上部に形成された受縁ｅに、外周部の下面に止水パッキンｆを備えたマンホール蓋ａを乗載し、前記支持アームｄに立設された螺子杆ｇを、マンホール蓋ａに形成された操作用凹陥部ｈの挿通孔ｉに下方から挿通させるとともに、該操作用凹陥部ｈ内で螺子杆ｇの突出端側に緊締ナットｊを螺着することにより、該緊締ナットｊの緊締作用によって、マンホール蓋ａを止水パッキンｆを介して蓋受枠ｂの受縁ｅに密封状に圧着させて固定するようにしたものである。また、操作用凹陥部ｈ内で、緊締ナットｊに回転止めキャップｋを外嵌し、さらに該緊締ナットｊの上部に突出する螺子杆ｇに南京錠ｍを施錠することにより、緊締ナットｊの弛緩回動操作を不能とし、これによって、いたずら等によるマンホール蓋ａの無用開放を防止し得るようにしている。
【０００４】
【発明が解決しようとする課題】
ところで、前記操作用凹陥部ｈの上方開口部は、螺子杆ｇの上端部に螺着される小蓋ｎによって遮蔽されるが、該小蓋ｎには、その外周部下面に止水パッキンｐが配設されており、該止水パッキンｐを、螺子杆ｇに対する小蓋ｎの螺合操作を介して操作用凹陥部ｈの蓋受縁ｒに圧着させることにより、操作用凹陥部ｈ内への水の侵入を防止するようにしている。また、前記緊締ナットｊと操作用凹陥部ｈの底壁上面との間には、両者によって挟持されるシール座金ｔが介装されており、該シール座金ｔによって挿通孔ｉと螺子杆ｇとの間に生じる隙間ｓを上方から塞ぐようにしている。
【０００５】
而して、上記のような小蓋ｎの止水パッキンｐと、シール座金ｔとによる防水手段にあっては、万一、止水パッキンｐが劣化して、操作用凹陥部ｈ内に水が侵入した場合、シール座金ｔによって挿通孔ｉと螺子杆ｇの隙間ｓが塞がれていることにより、操作用凹陥部ｈ内に水が溜るものの、隙間ｓからマンホールｃ内に水が漏れることはない。ところが、この状態において、マンホール蓋ａを開放しようとして緊締ナットｊを緩めると、シール座金ｔによる止水作用が消失することにより、操作用凹陥部ｈ内の水が即座に挿通孔ｉを通ってマンホールｃ内に漏れ落ちてしまうという問題点があった。
【０００６】
本発明は、かかる従来の問題点を解消し得るようにした、マンホール蓋の固定装置における水漏れ防止装置を提供することを目的とするものである。
【０００７】
【課題を解決するための手段】
本発明は、マンホール蓋が被着される蓋受枠内に支持アームを着脱可能に横架し、該支持アームに立設した螺子杆を、マンホール蓋に形成した操作用凹陥部の挿通孔に下方から挿通するとともに、該操作用凹陥部内で螺子杆の突出端側に緊締ナットを螺着して、その緊締作用を介してマンホール蓋を蓋受枠に圧着させて固定し、さらに前記挿通孔と螺子杆間に生じる隙間を塞ぐ止水パッキンを備えてなるマンホール蓋の固定装置において、前記支持アームに、螺子杆を囲繞するようにして水受け凹部を形成したことを特徴とするマンホール蓋の固定装置における水漏れ防止装置である。
【０００８】
かかる構成にあって、操作用凹陥部内に水が侵入すると、挿通孔と螺子杆間の隙間を塞ぐ止水パッキンの止水作用によって、操作用凹陥部内に水が溜ることとなる。そして、この状態において、マンホール蓋を開放しようとして緊締ナットを緩めると、止水パッキンの止水作用が消失して、操作用凹陥部内の水が挿通孔を通って下方に流れることとなるのであるが、この水を、支持アームの水受け凹部で受け止めることができる。これにより、マンホール内への水漏れを防止することができる。
【０００９】
【発明の実施の形態】
以下に、本発明の一実施例を、図１〜図４について説明する。
マンホール１の開口部に配設される蓋受枠２は、図２に示すように、環状に形成されており、その水平状の取付け基板部３ａから立上がる周壁３ｂの上部位置には、図１に示すように、内方に突出する受縁４が周設されている。また、前記周壁３ｂの下部位置には、上下一対の係止片部６ａ，６ｂを夫々備えた係止縁５，５が、１８０°異なる位置で対向するようにして内方突成されている。
【００１０】
蓋受枠２には、周壁３ｂの内径と略等しい外径で円形に形成されたマンホール蓋７が被着される。該マンホール蓋７には、外周部の下面に止水パッキン８が嵌着されており、該止水パッキン８部分を前記周壁３ｂの受縁４に乗載することによって、マンホール蓋７を蓋受枠２に被着するようにしている。このマンホール蓋７の中央部には、図１に示すように、円形の操作用凹陥部９が一体形成されている。該操作用凹陥部９の底壁中央には、図３に示すように、後述の螺子杆１７の挿通孔１１が穿設されており、また、操作用凹陥部９の底壁上には、前記挿通孔１１を囲繞するようにして緊締ナット２５を収納し得る環状壁１２が上方突成されている。さらに、操作用凹陥部９の上方開口部は、螺子杆１７の上端部に螺着される小蓋１３によって遮蔽されるようになっている。該小蓋１３は、その外周部下面に嵌着されたＯリングからなる止水パッキン１４を、螺子杆１７に対する小蓋１３の螺合操作を介して操作用凹陥部９の蓋受縁１５に圧着させ、これによって、操作用凹陥部９内への水の侵入を防止し得るようになっている。
【００１１】
また、蓋受枠２の内部には、図１，図２に示すように、前記係止縁５，５に両端を係合させることによって支持アーム１６が着脱可能に横架される。該支持アーム１６には、図３，図４に示すように、前記操作用凹陥部９の挿通孔１１と上下方向で一致する位置に螺子杆１７が立設されており、さらに該螺子杆１７を囲繞するようにして水受け凹部１８が形成されている。ここで、螺子杆１７は、水受け凹部１８の底壁に形成された螺子孔１９に下端部を螺合した状態で、上方から緩み止めナット２０を緊締状に螺着することにより、支持アーム１６に対して回動不能に取付けられている。また、螺子杆１７と螺子孔１９との螺合部分には、予めシール剤を塗布したり、シールテープを巻回したりすることによって、螺子孔１９の水漏れ防止手段が施されている。この螺子杆１７には、その上端近傍部に南京錠２１のＵ字形の閂杆２２を挿通し得る横孔２３が形成されており、また、緩み止めナット２０の上部位置にはシール座金からなる止水パッキン２４が嵌着される。
【００１２】
次に、蓋受枠２に対するマンホール蓋７の固定手順について説明する。
まず、蓋受枠２に対向状に内方突成されている係止縁５，５の各係止片部６ａ，６ｂ間に、支持アーム１６の両端部を側方から夫々挿入し、下部側の係止片部６ｂ，６ｂに両端部を支承させることにより、支持アーム１６を蓋受枠２内に横架する。次に、マンホール蓋７の外周部を蓋受枠２の受縁４に乗載するようにして、該マンホール蓋７を蓋受枠２に被着するとともに、支持アーム１６に立設されている螺子杆１７を、マンホール蓋７の操作用凹陥部９の挿通孔１１に下方から挿通させる。この時、螺子杆１７に、シール座金からなる止水パッキン２４を予め嵌着しておき、該止水パッキン２４を緩み止めナット２０の上面と操作用凹陥部９の下面との間に介装させるようにする。
【００１３】
そして、この状態において、操作用凹陥部９内に突出する螺子杆１７の突出端側に上方から緊締ナット２５を螺着して、レンチ状の専用工具によって緊締ナット２５を緊締方向に回動させることにより、その回動に伴なって支持アーム１６が上昇して、その両端部が係止縁５，５の上部側の係止片部６ａ，６ａに圧接し、さらに緊締ナット２５を緊締すると、その緊締作用によってマンホール蓋７が止水パッキン８を介して受縁４に圧着されて固定される。これにより、マンホール１の開口部が密閉され、マンホール１への雨水等の流入や、マンホール１内の臭気の漏出が防止されることとなる。また、上記のように緊締ナット２５を緊締することにより、止水パッキン２４が、緩み止めナット２０の上面と操作用凹陥部９の下面とによって挟圧されることとなり、該止水パッキン２４によって、操作用凹陥部９の挿通孔１１と螺子杆１７との間に生じる隙間ｓを下方から塞ぐ作用が得られる。
【００１４】
然る後、螺子杆１７の横孔２３に閂杆２２を挿通して、南京錠２１を施錠し、最後に、螺子杆１７の上端部に小蓋１３を螺着して、操作用凹陥部９の上方開口部を密閉状に遮蔽する。
【００１５】
かかるマンホール蓋７の固定状態にあって、操作用凹陥部９を密閉状に遮蔽している小蓋１３の止水パッキン１４が劣化して、操作用凹陥部９内に水が侵入した場合、挿通孔１１と螺子杆１７間の隙間ｓが止水パッキン２４で塞がれていることにより、侵入した水は操作用凹陥部９内に溜ることとなる。
【００１６】
マンホール蓋７を開放する場合には、小蓋１３と南京錠２１を順に取り除いた後、緊締ナット２５を緩めて除去することにより、マンホール蓋７を持ち上げ得る状態となる。そして、上記のように、操作用凹陥部９内に水が溜っている状態において、マンホール蓋７を開放しようとして緊締ナット２５を緩めると、止水パッキン２４の止水作用が消失することにより、操作用凹陥部９内の水が挿通孔１１を通って下方に流れることとなるのであるが、この水を、挿通孔１１の下部位置に配設されている支持アーム１６の水受け凹部１８で受け止めることができる。これにより、マンホール１内への水の漏れ落ちを防止することができる。
【００１７】
尚、水受け凹部１８に流入した水は、支持アーム１６を蓋受枠２から取り外すことによって除去することができる。また、マンホール蓋７の開放時において、操作用凹陥部９内に溜っている水を、前もってある程度、掻き出しておくことにより、水受け凹部１８に流入する水量を少なくすることが可能である。また、添付図面には、操作用凹陥部９の容積に比して、小さい容積の水受け凹部１８が示されているが、該水受け凹部１８を操作用凹陥部９より大きな容積に形成して、、操作用凹陥部９に満杯に溜った水を全て水受け凹部１８に受け入れるようにすることも可能である。
【００１８】
【発明の効果】
本発明は、上述したように、マンホール蓋７が被着される蓋受枠２内に支持アーム１６を着脱可能に横架し、該支持アーム１６に立設した螺子杆１７を、マンホール蓋７に形成した操作用凹陥部９の挿通孔１１に下方から挿通するとともに、該操作用凹陥部９内で螺子杆１７の突出端側に緊締ナット２５を螺着して、その緊締作用を介してマンホール蓋７を蓋受枠２に圧着させて固定し、さらに前記挿通孔１１と螺子杆１７間に生じる隙間ｓを塞ぐ止水パッキン２４を備えてなるマンホール蓋７の固定装置にあって、前記支持アーム１６に、螺子杆１７を囲繞するようにして水受け凹部１８を形成したから、マンホール蓋７の開放時に、挿通孔１１を通って下方に流れる操作用凹陥部９内の水を、水受け凹部１８で受け止めることができ、これによって、マンホール１内への水漏れを確実に防止し得る優れた効果がある。
【図面の簡単な説明】
【図１】本発明にかかるマンホール蓋の固定装置における水漏れ防止装置の一実施例を示す施工状態の縦断面図である。
【図２】同上の実施例の蓋受枠に被着されたマンホール蓋を示し、右半部は底面図、左半部は平面図である。
【図３】要部の拡大縦断面図である。
【図４】水受け凹部が形成された支持アームの斜視図である。
【図５】従来構成を示す施工状態の縦断面図である。
【図６】従来構成の要部の拡大縦断面図である。
【符号の説明】
２  蓋受枠
７  マンホール蓋
９  操作用凹陥部
１１  挿通孔
１６  支持アーム
１７  螺子杆
１８  水受け凹部
２４  止水パッキン
２５  緊締ナット
ｓ  隙間
【図１】
0004310764.tif 000002
【図２】
0004310764.tif 000003
【図３】
0004310764.tif 000004
【図４】
0004310764.tif 000005
【図５】
0004310764.tif 000006
【図６】
0004310764.tif 000007